(57)【要約】【課題】取付作業を容易かつ確実に低コストで行うことができると共に、温度センサから延びる電線を確実に保護することができる温度センサの取付ホルダーを提供する。【解決手段】温度センサ２０を被取付体３１に弾性を有するホルダー本体１１を介して着脱自在に取り付けるようにした温度センサ２０の取付ホルダー１０において、弾性を有するホルダー本体１１の両側に温度センサ２０の一対の係止部２２，２２に係止される第１係合部１２をそれぞれ形成すると共に被取付体３１の一対の係止部３２，３２に係止される第２係合部１３をそれぞれ形成し、これら各係合部１２，１３を各係止部２２，３２に係止させる際にホルダー本体１１を弾性変形自在にした。【選択図】      図４
2004259591.tif 000002
【特許請求の範囲】
【請求項１】
温度センサを被取付体に弾性を有するホルダー本体を介して着脱自在に取り付けるようにした温度センサの取付ホルダーにおいて、
前記弾性を有するホルダー本体の両側に前記温度センサの一対の係止部に係止される第１係合部をそれぞれ形成すると共に前記被取付体の一対の係止部に係止される第２係合部をそれぞれ形成し、これら各係合部を前記各係止部に係止させる際に前記ホルダー本体を弾性変形自在にしたことを特徴とする温度センサの取付ホルダー。
【請求項２】
請求項１記載の温度センサの取付ホルダーであって、
前記弾性を有するホルダー本体を正面略凹状に形成し、この略凹状のホルダー本体の両側下部に前記第１係合部をそれぞれ形成すると共に、該ホルダー本体の両側上部に前記第２係合部をそれぞれ形成し、これら各係合部を前記各係止部に係止させる際に前記ホルダー本体を弾性変形させて該ホルダー本体の中央及び両側上部に第１及び第２湾曲部をそれぞれ形成したことを特徴とする温度センサの取付ホルダー。
【発明の詳細な説明】
【０００１】
【発明の属する技術分野】
本発明は、電池等の温度を検知する温度センサの取付ホルダーに関する。
【０００２】
【従来の技術】
この種の温度センサの取付装置として、図６及び図７に示すものがある（例えば、特許文献１参照。）。
【０００３】
この温度センサ１の取付装置は、図６及び図７に示すように、締付バンド３と抜止補助具４とで構成されている。即ち、温度センサ１の先端の感温部１ａはゴム成形品の管体２の筒状台座２ａの中央に設けられた収納凹所２ｂに挿入され、この状態を筒状台座２ａの周方向より締付バンド３で締め付けて温度センサ１の抜け出しを防いでいる。
【０００４】
また、図６に示すように、締付バンド３の摘み部３ａに抜止補助具４の折返し部４ａを引っ掛けると共に、一対の湾曲部４ｂ，４ｃを温度センサ１の保護筒１ｂの後部外周面に弾性係合させている。これにより、温度センサ１が軸方向の外力Ｆに対して筒状台座２ａから抜け出ることがなくなる。
【０００５】
【特許文献１】
特開２００１−２８９４５４号公報
【０００６】
【発明が解決しようとする課題】
しかしながら、前記従来の温度センサ１の取付装置では、筒状台座２ａから温度センサ１が抜け出ることがないようにするために締付バンド３と抜止補助具４の２部品が必要不可欠なため、取付作業が煩雑になると共にコスト高であった。
【０００７】
また、温度センサ１の保護筒１ｂからリード線（電線）１ｃが単に延びているだけの構造であるため、このリード線１ｃに軸方向の外力Ｆが付加された場合にはリード線１ｃが保護筒１ｂの端面の露出部分より切断されるおそれがあった。
【０００８】
そこで、本発明は、前記した課題を解決すべくなされたものであり、取付作業を容易かつ確実に低コストで行うことができると共に、温度センサから延びる電線を確実に保護することができる温度センサの取付ホルダーを提供することを目的とする。
【０００９】
【課題を解決するための手段】
請求項１の発明は、温度センサを被取付体に弾性を有するホルダー本体を介して着脱自在に取り付けるようにした温度センサの取付ホルダーにおいて、前記弾性を有するホルダー本体の両側に前記温度センサの一対の係止部に係止される第１係合部をそれぞれ形成すると共に前記被取付体の一対の係止部に係止される第２係合部をそれぞれ形成し、これら各係合部を前記各係止部に係止させる際に前記ホルダー本体を弾性変形自在にしたことを特徴とする。
【００１０】
この温度センサの取付ホルダーでは、温度センサに取付ホルダーを装着する場合に、ホルダー本体を弾性変形させることで温度センサの一対の係止部にホルダー本体の一対の第１係合部が容易かつ確実に係止されて装着される。この装着状態よりホルダー本体の一対の第２係合部を被取付体の一対の係止部に係止させることにより、温度センサが一つの取付ホルダーを介して被取付体に容易かつ確実に低コストで取り付けられる。
【００１１】
請求項２の発明は、請求項１記載の温度センサの取付ホルダーであって、前記弾性を有するホルダー本体を正面略凹状に形成し、この略凹状のホルダー本体の両側下部に前記第１係合部をそれぞれ形成すると共に、該ホルダー本体の両側上部に前記第２係合部をそれぞれ形成し、これら各係合部を前記各係止部に係止させる際に前記ホルダー本体を弾性変形させて該ホルダー本体の中央及び両側上部に第１及び第２湾曲部をそれぞれ形成したことを特徴とする。
【００１２】
この温度センサの取付ホルダーでは、センサ本体の中央の第１湾曲部で温度センサの電線が保護され、かつ、センサ本体の両側上部の第２湾曲部で温度センサの左右方向及び上下方向の位置決めが容易かつ正確に行われる。
【００１３】
【発明の実施の形態】
以下、本発明の一実施形態を図面に基づいて説明する。
【００１４】
図１は本発明の一実施形態の取付ホルダーを温度センサに装着した状態を示す斜視図、図２は同取付ホルダーを湾曲変形したままの状態で温度センサから離した状態を示す斜視図、図３は同取付ホルダーの斜視図、図４は同取付ホルダーを介して温度センサを取り付けた状態を示す部分斜視図、図５は同取付ホルダーを介して取り付けられた温度センサの使用状態を示す断面図である。
【００１５】
図１〜図５に示すように、温度センサ２０を二次電池（電池）３０の合成樹脂製の保持板（被取付体）３１に着脱自在に取り付ける取付ホルダー１０は、弾性のあるゴム製のホルダー本体１１を有している。
【００１６】
図３に示すように、取付ホルダー１０のゴム製のホルダー本体１１は正面略凹状に形成してあり、この略凹状のホルダー本体１１の両側下部には矩形の係合孔（第１係合部）１２をそれぞれ形成してある。また、ホルダー本体１１の両側上部には左右一対の矩形の切欠部（第２係合部）１３，１３をそれぞれ形成してある。
【００１７】
図１，図２，図４に示すように、ホルダー本体１１の両側下部の一対の係合孔１２，１２は、温度センサ２０の段差円筒状のセンサ本体２１の上部両側に一体形成された先端が略Ｔ字状の一対の鉤部（係止部）２２，２２にそれぞれ係止されるようになっている。また、ホルダー本体１１の両側上部の左右各一対の矩形の切欠部１３，１３は、保持板３１に一体突出形成された一対の突起（係止部）３２，３２の各凹部３２ａ及び各係止爪３２ｂにそれぞれ係止されるようになっている。これら各係合孔１２及び各切欠部１３を温度センサ２０の各鉤部２２及び保持板３１の各突起３２にそれぞれ係止させる際に、ホルダー本体１１を弾性変形させて該ホルダー本体１１の中央及び両側上部に第１湾曲部１４及び一対の第２湾曲部１５，１５がそれぞれ形成されるようになっている。尚、図３に示すように、ホルダー本体１１の第１湾曲部１４となる中央部は、一対の第２湾曲部１５，１５となる両側部より薄肉に形成してある。
【００１８】
また、温度センサ２０のセンサ本体２１には二次電池３０の表面３０ａの温度を検知する図示しないサーミスタ等を内蔵してあり、このサーミスタ等に接続される一対のリード線（電線）２３，２３はセンサ本体２１の基端部に形成された矩形の切欠部２１ａより外に露出している。この外に露出した一対のリード線２３，２３は、センサ本体２１とホルダー本体１１の円弧状の第１湾曲部１４との間に挿通している。さらに、図５に示すように、センサ本体２１の感温部となる先端部２１ｂは二次電池３０の表面３０ａに形成された凹部３０ｂの底面に当接するようになっている。
【００１９】
以上実施形態の温度センサ２０の取付ホルダー１０によれば、図１，図２に示すように、温度センサ２０に取付ホルダー１０を装着する場合に、取付ホルダー１０のホルダー本体１１を弾性変形させることにより温度センサ２０の一対の鉤部２２，２２にホルダー本体１１の一対の係合孔１２，１２を容易かつ確実に係止させて装着することができる。この装着状態より、図４，図５に示すように、ホルダー本体１１の各一対の切欠部１３，１３を保持板３１の一対の突起３２，３２の各凹部３２ａ及び各係止爪３２ｂに係止させることにより、温度センサ２０を一つの部品であるゴム製の取付ホルダー１０で保持板３１に容易かつ確実に低コストで取り付けることができる。
【００２０】
このように、ホルダー本体１１の各係合孔１２及び各切欠部１３を温度センサ２０の各鉤部２２及び保持板３１の各突起３２にそれぞれ係止させる際に、ホルダー本体１１を弾性変形させて該ホルダー本体１１の中央及び両側上部に第１湾曲部１４及び一対の第２湾曲部１５，１５をそれぞれ形成したので、センサ本体１１の中央の第１湾曲部１４で温度センサ２０の一対のリード線２３，２３を確実に保護することができる。これにより、リード線２３が破損されたり、切断されることがない。
【００２１】
また、センサ本体１１の両側上部の一対の第２湾曲部１５，１５の付勢力（圧縮力及び引っ張り力等）で保持板３１のセンサ取付位置に対する温度センサ２０の左右方向及び上下方向の位置決めを容易かつ正確に行うことができる。これにより、温度センサ２０のセンサ本体２１の先端部２１ｂを二次電池３０の表面３０ａの凹部３０ｂの底面に確実に当接させておくことができ、二次電池３０の表面３０ａの温度を常に安定した状態で検知することができる。
【００２２】
尚、前記実施形態によれば、ホルダー本体の第１係合部を矩形の係合孔で、第２係合部を矩形の切欠部で、それぞれ形成したが、鉤状の突起部や凹部等の他の形状でも良いことは勿論である。
【００２３】
【発明の効果】
以上説明したように、請求項１の発明によれば、弾性を有するホルダー本体の両側に温度センサの一対の係止部に係止される第１係合部をそれぞれ形成すると共に被取付体の一対の係止部に係止される第２係合部をそれぞれ形成し、これら各係合部を各係止部に係止させる際にホルダー本体を弾性変形自在にしたので、温度センサに取付ホルダーを装着する場合に、ホルダー本体を弾性変形させることにより温度センサの一対の係止部にホルダー本体の一対の第１係合部を容易かつ確実に係止させて装着することができる。この状態よりホルダー本体の一対の第２係合部を被取付体の一対の係止部に係止させることにより、温度センサを一つの取付ホルダーで被取付体に容易かつ確実に低コストで取り付けることができる。
【００２４】
請求項２の発明によれば、弾性を有する正面略凹状のホルダー本体の両側下部に第１係合部をそれぞれ形成すると共に、該ホルダー本体の両側上部に第２係合部をそれぞれ形成し、これら各係合部を温度センサ及び被取付体の各係止部に係止させる際にホルダー本体を弾性変形させて該ホルダー本体の中央及び両側上部に第１及び第２湾曲部をそれぞれ形成したので、センサ本体の中央の第１湾曲部で温度センサの電線を保護することができると共に、該センサ本体の両側上部の第２湾曲部で温度センサの左右方向及び上下方向の位置決めを容易かつ正確に行うことができる。
【図面の簡単な説明】
【図１】本発明の一実施形態の取付ホルダーを温度センサに装着した状態を示す斜視図である。
【図２】上記取付ホルダーを湾曲変形したままの状態で温度センサから離した状態を示す斜視図である。
【図３】上記取付ホルダーの斜視図である。
【図４】上記取付ホルダーを介して温度センサを取り付けた状態を示す部分斜視図である。
【図５】上記取付ホルダーを介して取り付けられた温度センサの使用状態を示す断面図である。
【図６】従来の温度センサの取付装置の斜視図である。
【図７】上記従来の温度センサの取付装置の分解斜視図である。
【符号の説明】
１０  取付ホルダー
１１  ホルダー本体
１２，１２  一対の係合孔（第１係合部）
１３，１３  一対の切欠部（第２係合部）
１４  第１湾曲部
１５  第２湾曲部
２０  温度センサ
２２，２２  一対の鉤部（係止部）
２３，２３  一対のリード線（電線）
３１  保持板（被取付体）
３２，３２  一対の突起（係止部）
【図１】
2004259591.tif 000003
【図２】
2004259591.tif 000004
【図３】
2004259591.tif 000005
【図４】
2004259591.tif 000006
【図５】
2004259591.tif 000007
【図６】
2004259591.tif 000008
【図７】
2004259591.tif 000009